(57)【特許請求の範囲】
【請求項１】
リールに巻き取られる釣り糸に張力を付与するための釣り糸の張力付与装置であって、基台と、この基台に対して回転自在に取り付けられたローラーとを備え、上記ローラーの表面付近を釣り糸との摩擦力が確保されるような材質又は形状にすると共に、上記ローラーに対して回転抵抗を付与するブレーキ機構を設け、釣り糸を上記ローラーにほぼ１周巻き付けてからリールへと導くように構成したことを特徴とする釣り糸の張力付与装置。
【請求項２】
リールに巻き取られる釣り糸に張力を付与するための釣り糸の張力付与装置であって、基台と、この基台に対して回転自在に且つ回転軸が互いに並列になるように取り付けられた一対のローラーとを備え、上記ローラーに、これを周回する糸溝を平行に複数本刻設し、ローラー間では糸溝が軸方向にずれるように設定すると共に、上記ローラーに対して回転抵抗を付与するブレーキ機構を設け、釣り糸を、上記一対のローラーの糸溝に交互に且つ軸方向の一端から他端に向かうように掛けてからリールへと導くように構成したことを特徴とする釣り糸の張力付与装置。
【請求項３】
釣り糸の通過長さを検出する検出機構と、ローラーをロックするロック機構とを備え、上記検出機構により通過長さが所定値を超えたことが検出されたときに上記ロック機構を作動させるように構成した請求項１又は請求項２記載の釣り糸の張力付与装置。
【請求項４】
請求項３記載の釣り糸の張力付与装置において、ロック機構に代えて釣り糸を切断する切断機構を備え、上記検出機構により通過長さが所定値を超えたことが検出されたときに上記切断機構を作動させるように構成した釣り糸の張力付与装置。
【発明の詳細な説明】
【０００１】
【産業上の利用分野】
本発明は、釣り糸を釣り用リールに巻き取るときに釣り糸に張力を付与する張力付与装置に関する。
【０００２】
【従来の技術】
一般に、リールには釣り糸が所定の張力をかけた状態で固く巻き付けられている。これは獲物の引き寄せ時などにリールから引き出された釣り糸に大きな張力がかかるから、リール回りの釣り糸が固く巻き付いていないと、リールから引き出された釣り糸がリール回りの釣り糸の間に食い込んでしまうからである。このため、新規に購入した釣り糸をリールに巻き取るときなどは、釣り糸に所定の張力を付与しながら巻き取らせる必要がある。
【０００３】
【発明が解決しようとする課題】
そこで、この糸巻きから所定の張力で釣り糸を引き出してそのままリールに巻き取っていくことが考えられるが、釣具店等で購入した釣り糸は普通、糸巻きに軽く巻き付けただけの状態で販売されているから、張力のかかった釣り糸が糸巻き側において釣り糸の間に食い込むという問題が生じる。従って、従来は糸巻きから釣り糸を繰り出しつつ、これを手にとりリールとの間に張力が作用するように引っ張って張力を付与しながらリールに巻き取らせることが行われている。しかし、この場合、釣り糸を手で引っ張って張力を付与するから、労力がかかると共に、張力を一定に制御することは至難の技である。
【０００４】
本発明は、このような点に着目してなされたものであり、その目的とするところは、摩擦力等を利用して、釣り糸を繰り出しつつ張力をかけ得るようにして、糸巻きへの食い込み等を防止しながら釣り糸に一定の張力を付与してリールへの巻き取り作業を簡単化することにある。その場合、巻き取る釣り糸の長さ設定を自動化する構成も提案する。
【０００５】
【課題を解決するための手段】
上記目的を達成するため、請求項１の釣り糸の張力付与装置は、リールに巻き取られる釣り糸に張力を付与するための釣り糸の張力付与装置を対象とする。そして、これに対し、基台と、この基台に対して回転自在に取り付けられたローラーとを備え、上記ローラーの表面付近を釣り糸との摩擦力が確保されるような材質又は形状にすると共に、上記ローラーに対して回転抵抗を付与するブレーキ機構を設け、釣り糸を上記ローラーにほぼ１周巻き付けてからリールへと導くように構成したものである。
【０００６】
又、請求項２の釣り糸の張力付与装置は、リールに巻き取られる釣り糸に張力を付与するための釣り糸の張力付与装置を対象とする。そして、これに対し、基台と、この基台に対して回転自在に且つ回転軸が互いに並列になるように取り付けられた一対のローラーとを備え、上記ローラーに、これを周回する糸溝を平行に複数本刻設し、ローラー間では糸溝が軸方向にずれるように設定すると共に、上記ローラーに対して回転抵抗を付与するブレーキ機構を設け、釣り糸を、上記一対のローラーの糸溝に交互に且つ軸方向の一端から他端に向かうように掛けてからリールへと導くように構成したものである。
【０００７】
さらに、請求項３の釣り糸の張力付与装置は、上記構成において、釣り糸の通過長さを検出する検出機構と、ローラーをロックするロック機構とを備え、上記検出機構により通過長さが所定値を超えたことが検出されたときに上記ロック機構を作動させるように構成したものである。
【０００８】
また、請求項４の釣り糸の張力付与装置は、請求項３の構成において、ロック機構に代えて釣り糸を切断する切断機構を備え、上記検出機構により通過長さが所定値を超えたことが検出されたときに上記切断機構を作動させるように構成したものである。
【０００９】
【作用】
請求項１では、例えば糸巻きに巻き付いた釣り糸のように張力がかかっていない釣り糸をローラーにほぼ１周巻き付けてからリールに連結し、リールで釣り糸を巻き取っていくと、釣り糸がローラーにほぼ１周巻き付いているから釣り糸とローラーとの間に摩擦力等が作用し、そのためにブレーキ機構によりローラーに付与された回転抵抗に応じてローラーとリールとの間の釣り糸に張力が発生し、これが一定に維持されながらローラーが回転して釣り糸をリールに送っていく。その場合、釣り糸とローラーとの間の摩擦力等のために糸巻きとローラーとの間の釣り糸には張力が作用しないままである。
【００１０】
請求項２では、張力がかかっていない釣り糸を、上記一対のローラーの糸溝に交互に且つ軸方向の一端から他端に向かうように掛けてからリールに連結し、リールで釣り糸を巻き取っていくと、釣り糸が一対のローラーの糸溝に複数回巻き付いていること、及び釣り糸が一方のローラーの糸溝から角度をつけて他方のローラーへと向かい更に角度をつけて他方のローラーの糸溝へ入るので釣り糸の糸溝側壁への接触力が増すこと、などから、釣り糸とローラーとの間に摩擦力等が作用し、そのためにブレーキ機構によりローラーに付与された回転抵抗に応じてローラーとリールとの間の釣り糸に張力が発生し、これが一定に維持されながらローラーが回転して釣り糸をリールに送っていく。その場合、釣り糸とローラーとの間の摩擦力等のために糸巻きとローラーとの間の釣り糸には張力が作用しないままである。
【００１１】
請求項３では、通過長さが所定値を超えると、検出機構の検出を受けてロック機構によりローラーがロックされるから、リールが巻き取る釣り糸の長さが所定値を超えることがない。
【００１２】
請求項４では、通過長さが所定値を超えると、検出機構の検出を受けて切断機構により釣り糸が切断されるから、リールが巻き取る釣り糸の長さを所定値に設定できる。
【００１３】
【実施例】
以下、実施例を説明する。図１ないし図３は第１実施例の釣り糸の張力付与装置を示し、これらの図において１は基台、２は基台１に対して回転自在に取り付けられたローラーであって、このローラー２はウレタンにより成型された本体２ａと、その両端に固定された金属製のスプール２ｂ，２ｂとからなり、中心に貫通孔２ｃを有しており、基台１に立設された一対の支柱３ａ，３ｂの間に固定されたシャフト４に貫通孔２ｃを通すことによりシャフト４まわりに回転自在に支持されている。
【００１４】
図４に示すように、上記支柱３ａとローラー２との間には第１ワッシャ５がシャフト４に貫通されて配置されていると共に、ローラー２と支柱３ｂとの間には両側に摩擦面が形成されたライニング６と、第２ワッシャ７と、軸方向に作用する圧縮力に対抗して反発力を生じる公知のウェーブスプリング８と、外周がローレット加工された操作リング９とがシャフト４に貫通されて配置されている。このうち第１ワッシャ５及びライニング６はシャフト４に対して回転可能に嵌まり、また第２ワッシャ７及びウェーブスプリング８はシャフト４に対して回転できないように嵌まり、さらに操作リング９はシャフト４に螺合している。すなわち、シャフト４の支柱３ｂ側の端部には雄ネジ４ａが切られ、ここに中心孔に雌ネジが切られた操作リング９がその中心孔において螺合しており、またシャフト端部が一部切欠かれて平面部４ｂが形成され、第２ワッシャ７及びウェーブスプリング８の中心孔がこの部分に合う形状に形成されている。従ってローラー２が回転しようとすると、ウェーブスプリング８の反発力を受けてローラー２のスプール２ｂ、ライニング６及び第２ワッシャ７の間に摩擦力が生じるようになっており、これら各部材によりローラー２に対して回転抵抗を付与するブレーキ機構１０を構成している。そして操作リング９を回動操作して第２ワッシャ７との間の間隔を変えればウェーブスプリング８の反発力が変わり、これによって回転抵抗を自在に調整することができる。
【００１５】
上記基台１においてローラー２の両側にはＶ溝を有するサイドローラー１１，１２がローラー２のシャフト４と平行なシャフト回りに回転自在に設けられている。また基台１においてローラー２と各サイドローラー１１，１２との間には貫通孔を有する糸ガイド１３，１４が固定されている。さらに一方の糸ガイド１４の側方にはアーム１６がアームシャフト１７により基台１に対して揺動可能に設けられ、その先端にはウレタン製の補助ローラー１８が補助シャフト１９により回転自在に設けられ、この補助ローラー１８が上記ローラー２に接するようになっている。また上記アーム１６の中途部と基台１との間には２本のコイルスプリング２０が掛けられており、その復元力によって補助ローラー１８を一定の力でローラー２に押しつけるようにしている。さらに１５は貫通孔を有する糸ガイドである。また基台１には基台１を竿に取り付けるためのホルダー２１が取り付けられている。このホルダー２１は基台１の一端において下方に向けて固定された２本のボルト２１ａ，２１ａと、中央に湾曲部を有し且つ両端に上記ボルト２１ａに嵌まるボルト孔を有する一対のクランプ部材２１ｂ，２１ｃと、上記ボルト２１ａ，２１ａに螺合された蝶形ナット２１ｄ，２１ｄとを備え、上記クランプ部材２１ｂ，２１ｃの湾曲部間で釣り竿を挟み、蝶形ナット２１ｄ，２１ｄを締め付けると基台１が釣り竿Ｘに固定される。
【００１６】
上記実施例の作用を説明する。図５に示すように釣り竿Ｘに実施例の張力付与装置及びリールＺを取り付けておき、これらの一側において釣り糸Ａが巻かれた糸巻きＹを回転自在に支持する。そして、糸巻きＹから引き出した釣り糸Ａを張力付与装置に通してからリールＺに巻き取らせる。この場合、糸巻きＹからの釣り糸Ａを上記ローラー２にほぼ１周巻き付けてからリールＺへと導く。すなわち、図１ないし図３に示すように糸巻きＹからの釣り糸Ａを、まず糸ガイド１５に通し、サイドローラー１２の下側を通し、糸ガイド１４に通し、ローラー本体２ａの上面に導いてからほぼ１周巻き付けて再びローラー本体２ａの上面に導き、ここから糸ガイド１３に通し、サイドローラー１１の下側を通し、リールＺへと送る。そしてリールＺで釣り糸Ａを巻き取っていくと、釣り糸Ａがローラー本体２ａにほぼ１周巻き付いているから釣り糸Ａとローラー本体２ａとの間に摩擦力等が作用し、そのためにブレーキ機構１０によりローラー２に付与された回転抵抗に応じてローラー２とリールＺとの間の釣り糸Ａに張力が発生し、これが一定に維持されながらローラー２が回転して釣り糸ＡをリールＺに送っていく。その場合、釣り糸Ａとローラー本体２ａとの間の摩擦力等のために糸巻きＹとローラー２との間の釣り糸Ａには張力が作用しないままである。従って釣り糸Ａとローラー本体２ａとの間に作用する摩擦力等及びローラー２の回転抵抗によって糸巻きＹから繰り出された釣り糸Ａに一定の張力をかけてリールＺへ巻き取ることができ、その際に糸巻きＹへの食い込み等を防止することができると共にリールＺへの巻き取り作業を簡単化して楽に行うことができる。また糸ガイド１３，１４によってローラー本体２ａ上の釣り糸Ａの軸方向への移動を防止することができる。さらに釣り糸Ａが補助ローラー１８によりローラー本体２ａへ押し付けられるから、釣り糸Ａとローラー本体２ａとの間の摩擦力等を大きくでき、釣り糸Ａにかける張力を大きくすることができる。
【００１７】
次に、図６により第２実施例を説明する。この実施例では第１実施例のようにサイドローラーを設けていない。またローラーの形状が異なる。すなわち、１’は基台、２’はローラーであって、このローラー２’は中程に向かって直径が小さくなる鼓形をしている。また３’ａ，３’ｂは支柱、９’は操作リング、１３’，１４’及び１５’は糸ガイド、１６’はアーム、１８’は補助ローラー、２０’はスプリングであり、それぞれ第１実施例の各部材と同じ作用を発揮する。従って糸巻きＹからの釣り糸Ａを、まず糸ガイド１４’に通し、ローラー２’の上面に導いてからほぼ１周巻き付けて再びローラー２の上面に導き、ここから糸ガイド１３’及び１５’に通し、リールＺへと送る。第２実施例の作用及び効果は第１実施例のものと同様であるが、ローラー２’が中程に向かって直径が小さくなる鼓形をしているから、ローラー２’上の釣り糸Ａの軸方向への移動を防止することができる。
【００１８】
さらに第３実施例を説明する。この実施例は、例えば釣具店で釣り糸を測り売りする場合等に好適である。まずローラー等を通過した釣り糸Ａの長さを検出する検出機構を設ける。これは例えばローラー或いは補助ローラー或いはサイドローラーの回転数を検出し、この回転数に応じた信号を出力する公知の回転センサである。さらにローラーをロックするロック機構を設ける。これは例えばローラーの外周面に歯を切ると共に、この歯に噛み合える爪を公知のアクチュエータ等により上記ローラーの歯に対して前進又は後退できるように設け、アクチュエータ等がオン信号を受けると爪を前進させてローラーの歯に噛み合わせてローラーをロックするようにしたものである。そして検出機構により釣り糸の通過長さが所定値を超えたことが検出されたときにロック機構を作動させるように構成する。これは例えば比較回路等を用いて回転センサ等からの信号が所定レベルを超えたときにアクチュエータ等へオン信号を出すようにするものである。その場合、所定値を可変に設定できるようにすれば更に便利である。
【００１９】
また第４実施例としては、上記第３実施例におけるロック機構に代えて釣り糸を切断する切断機構を設けたものがある。これは例えばローラー周辺に張られた釣り糸を跨ぐように設けた電動カッターである。そして検出機構により通過長さが所定値を超えたことが検出されたときに切断機構を作動させるように構成する。これは例えば比較回路等を用いて回転センサ等からの信号が所定レベルを超えたときに電動カッター等へオン信号を出すようにするものである。その場合、所定値を可変に設定できるようにすれば更に便利である。
【００２０】
なお、実施例ではローラーの主たる部分（ローラー本体）をウレタン製としたが、例えば樹脂や木、或いはアルミニウム等の金属などの他の材質でもよい。要は釣り糸との摩擦力が確保されるものであればよい。この場合、釣り糸の材質は例えばナイロンである。またローラーの表面は実施例のように滑らかに形成してもよいが、凹凸を形成して釣り糸との摩擦力を確保するようにしてもよい。
【００２１】
さらに、図７〜図９により第５実施例を説明する。この実施例は、ローラーを２つ設けている。すなわち、１’’は基台であって、この基台１’’に一対のステンレス製のローラー２’’Ａ及び２’’Ｂが回転自在に且つ回転軸が互いに並列になるように取り付けられている。上記各ローラー２’’Ａ，２’’Ｂには、これを周回する糸溝（Ｖ溝）２’’Ａｄ，２’’Ｂｄを平行に且つほぼ等間隔でもって複数本（図では４本ずつ）刻設されている。そして、ローラー２’’Ａと２’’Ｂとの間では、糸溝２’’Ａｄと２’’Ｂｄとが軸方向にずれるように、すなわち一連にならないように設定している。３’’ａは基台１’’に立設する支柱、４’’，４’’は支柱３’’ａを貫通する２本のシャフトであって、この各シャフト４’’にローラー２’’Ａ，２’’Ｂがそれぞれ貫通され、さらに２連のライニング６’’、ウェーブスプリング８’’及び第１ワッシャ５’’が挿通されている。さらに、９’’は操作リングであって、この操作リング９’’のシャフト９’’ａは支柱３’’ａ、ライニング６’’、ウェーブスプリング８’’及び第１ワッシャ５’’を貫通してダブルナット９’’ｂに螺合しており、操作リング９’’を回転操作すると、支柱３’’ａと第１ワッシャ５’’との間隔が調整され、ローラー２’’Ａ，２’’Ｂに作用する回転抵抗が自在に調整される。これら各部材により、ローラー２’’Ａ，２’’Ｂに対して回転抵抗を与えるブレーキ機構１０’’を構成している。また、１１’’，１２’’は支柱３’’ａに回転自在に取り付けられ且つＶ溝を有するサイドローラーである。１３’’はテンションローラーであって、基台１’’に対して揺動自在に設けられたアーム１３’’ａと、アーム１３’’ａの先端に枢支された算盤珠形のローラー１３’’ｂと、アーム１３’’ａを立ち上がる方向に付勢するねじりスプリング１３’’ｃとを備え、ローラー１３’’ｂがサイドローラー１１’’のＶ溝に押圧するようになっている。１４’’はガイドローラーであって、基台１’’に対して揺動自在に設けられたアーム１４’’ａと、アーム１４’’ａの先端に枢支された算盤珠形のローラー１４’’ｂと、アーム１４’’ａを立ち上がる方向に付勢するコイルスプリング１４’’ｃとを備え、ローラー１４’’ｂがサイドローラー１２’’のＶ溝に押圧するようになっている。そして、糸巻きＹからの釣り糸Ａを、サイドローラー１１’’のＶ溝に通してから、上記一対のローラー２’’Ａ、２’’Ｂの糸溝２’’Ａｄ，２’’Ｂｄに交互に且つ軸方向の一端から他端に向かうように掛けてから、サイドローラー１２’’のＶ溝に通して、リールＺへと導くようにしている。上記基台は、通常、釣り竿Ｘに固定される。
【００２２】
この第５実施例の使用方法は、第１実施例と同様である。すなわち、釣り竿Ｘに実施例の張力付与装置及びリールＺを取り付けておき、これらの一側において釣り糸Ａが巻かれた糸巻きＹを回転自在に支持する。そして、糸巻きＹから引き出した釣り糸Ａを張力付与装置に通してからリールＺに巻き取らせる。この場合、釣り糸Ａが一対のローラー２’’Ａ，２’’Ｂの糸溝２’’Ａｄ，２’’Ｂｄに複数回巻き付いていること、及び図７から分かるように釣り糸Ａが一方のローラーの糸溝から角度をつけて他方のローラーへと向かい更に角度をつけて他方のローラーの糸溝へ入るので釣り糸Ａの糸溝側壁への接触力が増すこと、などから、釣り糸Ａとローラー２’’Ａ，２’’Ｂとの間に摩擦力等が作用し、そのためにブレーキ機構１０’’によりローラー２’’Ａ，２’’Ｂに付与された回転抵抗に応じてローラー２’’Ａ，２’’ＢとリールＺとの間の釣り糸Ａに張力が発生し、これが一定に維持されながらローラー２’’Ａ，２’’Ｂが回転して釣り糸ＡをリールＺに送っていく。その場合、釣り糸Ａとローラー２’’Ａ，２’’Ｂとの間の摩擦力等のために糸巻きＹとローラー２’’Ａ，２’’Ｂとの間の釣り糸Ａには張力が作用しないままである。従って、上記第１実施例と同様の効果を得ることができる。なお、第５実施例ではローラー２’’Ａ及び２’’Ｂをステンレス製としたので、潮水が付着した釣り糸Ｘが付いても錆が発生し難いという利点がある。しかし、本実施例の構成上、糸溝が複数あること、ローラー間で糸溝がずれていることなどから摩擦力等がかせげるので、係数ローラー２’’Ａ及び２’’Ｂの材質は第１実施例のように特に摩擦係数の高い材質を選ぶ必要がなく、それだけ自由度が高い。
【００２３】
上記第１実施例及び第５実施例ではブレーキ機構としてウェーブスプリングを介してライニングをローラー側面に押しつける構成としたが、スプリングはコイルスプリングでもよく、さらにブレーキ機構はローラーに対して回転抵抗を付与する公知の機構であればその構造は限定されない。さらに第１実施例及び第５実施例では操作リングをシャフトに螺合してブレーキ機構による回転抵抗を可変としたが、スプリングの装着長さを一定にして回転抵抗を固定的にしてもよい。
【００２４】
加えて、第１実施例では所定の力でローラー２に接触する補助ローラー１８を設けたが、これは必ずしも設ける必要はない。さらにサイドローラー１１，１２及び糸ガイド１３，１４，１５についても必ずしも設ける必要はない。また第５実施例で設けたテンションローラー１３’’及びガイドローラー１４’’も必須ではない。
【００２５】
上記第３実施例及び第４実施例の構成は、第５実施例においても適用できることは勿論である。
【００２６】
又、第１実施例ではホルダー２１を設けた基台１を釣り竿Ｘに固定したが、釣り竿Ｘではなく机、船縁、その他任意の部材に固定するようにしてもよい。従って必ずしもホルダー２１を設ける必要はなく、例えば木ネジ等による固定など公知の方法で基台１を任意の部材に固定すればよい。特に上記第３実施例及び第４実施例においては例えば釣具店で机に据え付け固定して使用するケースが多くなろう。更に釣り糸は実施例のように糸巻きＹから繰り出すもののみを対象にするものではなく、要は張力のかかっていない釣り糸を対象とする意図である。又リールＺは手巻き式に限らず、電動式のものも対象になるのは勿論である。
【００２７】
【発明の効果】
以上説明したように、請求項１の釣り糸の張力付与装置は、基台にローラーを回転自在に取り付け、ローラーの表面付近を釣り糸との摩擦力が確保されるような材質又は形状にし、ローラーに対して回転抵抗を付与するブレーキ機構を設け、釣り糸をローラーにほぼ１周巻き付けてからリールへと導くように構成したので、釣り糸とローラーとの間に作用する摩擦力等及びローラーの回転抵抗によって例えば糸巻きから繰り出された釣り糸等に一定の張力をかけてリールへ巻き取ることができ、その際に糸巻きへの食い込み等を防止することができると共にリールへの巻き取り作業を簡単化して楽に行うことができる。
【００２８】
また、請求項２の釣り糸の張力付与装置は、基台に一対のローラーを回転自在に取り付け、ローラーに糸溝を平行に複数本刻設し、ローラー間では糸溝が軸方向にずれるように設定し、ローラーに対して回転抵抗を付与するブレーキ機構を設け、釣り糸を、一対のローラーの糸溝に交互に且つ軸方向の一端から他端に向かうように掛けてからリールへと導くように構成したので、釣り糸とローラーの糸溝との間に作用する摩擦力等及びローラーの回転抵抗によって例えば糸巻きから繰り出された釣り糸等に一定の張力をかけてリールへ巻き取ることができ、その際に糸巻きへの食い込み等を防止することができると共にリールへの巻き取り作業を簡単化して楽に行うことができる。
【００２９】
さらに、請求項３の釣り糸の張力付与装置は、釣り糸の通過長さを検出する検出機構と、ローラーをロックするロック機構とを備え、検出機構により通過長さが所定値を超えたことが検出されたときにロック機構を作動させるように構成したので、リールが巻き取る釣り糸の長さが所定値を超えることを防止でき、例えば釣り糸の測り売り等に好適である。その場合、所定値を可変に設定できるようにすれば更に便利である。
【００３０】
さらに請求項４の釣り糸の張力付与装置は、請求項３の発明においてロック機構に代えて釣り糸を切断する切断機構を備え、検出機構により通過長さが所定値を超えたことが検出されたときに切断機構を作動させるように構成したので、リールが巻き取る釣り糸の長さを所定値に設定できて切断の手間が省け、例えば釣り糸の測り売り等に好適である。その場合、所定値を可変に設定できるようにすれば更に便利である。
【図面の簡単な説明】
【図１】第１実施例の平面図、
【図２】同じく正面図、
【図３】同じく側面図、
【図４】要部の横断拡大平面図、
【図５】使用状態を示す説明図、
【図６】第２実施例の斜視図、
【図７】第５実施例の平面図、
【図８】同じく一部を縦断面して示した正面図、
【図９】同じく一部を縦断面して示した側面図である。
【符号の説明】
Ａ          釣り糸
Ｚ          リール
１          基台
２          ローラ−
１０          ブレーキ機構
１’        基台
２’        ローラ−
１’’      基台
２’’Ａ    ローラ−
２’’Ｂ    ローラ−
２’’Ａｄ  糸溝
２’’Ｂｄ  糸溝
１０’’      ブレーキ機構
【図１】
0003631518.tif 000002
【図２】
0003631518.tif 000003
【図３】
0003631518.tif 000004
【図４】
0003631518.tif 000005
【図５】
0003631518.tif 000006
【図６】
0003631518.tif 000007
【図７】
0003631518.tif 000008
【図８】
0003631518.tif 000009
【図９】
0003631518.tif 000010